【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
有機ペルオキシド配合物であって、
少なくとも１種の有機ペルオキシドと、
少なくとも１種のセルロース化合物と
を含み、
前記少なくとも１種のペルオキシド及び前記少なくとも１種のセルロース化合物の量が、前記配合物が酸素の全体的又は部分的な存在下でエラストマー組成物を硬化させることが可能であるように選択される、有機ペルオキシド配合物。
【請求項２】
前記有機ペルオキシド配合物が、少なくとも１種の飽和エラストマーを含むエラストマー組成物を硬化させることが可能であり、前記硬化されたエラストマー組成物が完全又は実質的にタックフリーである、請求項１に記載の有機ペルオキシド配合物。
【請求項３】
前記少なくとも１種のセルロース化合物が、セルロースアセテートブチレート（ＣＡＢ）、セルロースアセテートプロプリオネート、セルロースアセテート、セルロース、超微粉砕セルロース、セルロースガム、ミクロクリスタリンセルロース、カルボキシメチルセルロース、ヒドロキシプロピルセルロース（ＨＰＣ）、ヒドロキシプロピルメチルセルロース（ＨＭＰＣ）、ヒドロキシエチルセルロース、メチルセルロース、エチルセルロース、セルロースアセテートフタレート、エチルヒドロキシエチルセルロース、ヒドロキシエチルメチルセルロース、エチルメチルセルロース、及びそれらの組合せからなる群から選択される、請求項１に記載の有機ペルオキシド配合物。
【請求項４】
少なくとも１種の硫黄含有化合物をさらに含む、請求項１に記載の有機ペルオキシド配合物。
【請求項５】
エラストマー組成物であって、
少なくとも１種のエラストマーと、
少なくとも１種のペルオキシドと、
少なくとも１種のセルロース化合物と
を含み、
前記エラストマー組成物が酸素の全体的又は部分的な存在下で硬化可能である、エラストマー組成物。
【請求項６】
エラストマーマスターバッチを含み、前記エラストマーマスターバッチが、少なくとも１種のエラストマーと、カーボンブラック、ポリエチレングリコール、少なくとも１種のプロセスオイル、少なくとも１種の抗酸化剤、少なくとも１種の離型剤、少なくとも１種の熱安定剤、及びそれらの組合せからなる群から選択される１種又は複数の添加剤とを含む、請求項５に記載のエラストマー組成物。
【請求項７】
前記少なくとも１種のエラストマーが、エチレン−プロピレン−ジエンターポリマー（ＥＰＤＭ）、ポリ（エチレンビニルアセテート）、ポリ（エチレンアクリレート）コポリマー、フルオロエラストマー（ＦＫＭ、ＦＦＫＭ、ＦＶＭＱ）、ビニルシリコーンゴム（ＶＭＱ）、ニトリルゴム（ＮＢＲ）、アクリロニトリル−ブタジエン−スチレン（ＡＢＳ）、スチレンブタジエンゴム（ＳＢＲ）、スチレン−ブタジエン−スチレンブロックコポリマー（ＳＢＳ）、ポリブタジエンゴム（ＢＲ）、スチレン−イソプレン−スチレンブロックコポリマー（ＳＩＳ）、部分水素化アクリロニトリルブタジエンコポリマー（ＨＮＢＲ）、天然ゴム（ＮＲ）、合成ポリイソプレンゴム（ＩＲ）、ネオプレンゴム（ＣＲ）、ポリクロロプロペン、ブロモブチルゴム（ＢＩＩＲ）、クロロブチルゴム、及びそれらの組合せからなる群から選択される、請求項５に記載のエラストマー組成物。
【請求項８】
前記少なくとも１種の有機ペルオキシドが、ジアルキルペルオキシド、ジペルオキシケタール、モノ−ペルオキシカーボネート、環状ケトンペルオキシド、ジアシルペルオキシド、オルガノスルホニルペルオキシド、ペルオキシエステル、及びペルオキシジカーボネートからなる群から選択される、請求項５に記載のエラストマー組成物。
【請求項９】
前記少なくとも１種のセルロース化合物が、セルロースアセテートブチレート（ＣＡＢ）、セルロースアセテートプロプリオネート、セルロースアセテート、セルロース、超微粉砕セルロース、セルロースガム、ミクロクリスタリンセルロース、カルボキシメチルセルロース、ヒドロキシプロピルセルロース（ＨＰＣ）、ヒドロキシプロピルメチルセルロース（ＨＭＰＣ）、ヒドロキシエチルセルロース、メチルセルロース、エチルセルロース、セルロースアセテートフタレート、エチルヒドロキシエチルセルロース、ヒドロキシエチルメチルセルロース、エチルメチルセルロース、及びそれらの組合せからなる群から選択される、請求項５に記載のエラストマー組成物。
【請求項１０】
完全又は実質的にタックフリーである、請求項５に記載の硬化されたエラストマー組成物を含む、エラストマー性物品。
【請求項１１】
エラストマー組成物を硬化させるためのプロセスであって、
酸素の存在下でエラストマー組成物を硬化させる工程
を含み、
前記エラストマー組成物が、少なくとも１種のエラストマー、少なくとも１種のペルオキシド、及び少なくとも１種のセルロース化合物を含む、プロセス。
【請求項１２】
有機ペルオキシド配合物であって、
少なくとも１種の有機ペルオキシドと、
少なくとも１種のセルロース化合物と、
少なくとも１種の硫黄含有化合物と
を含み、
前記少なくとも１種のペルオキシド及び前記少なくとも１種のセルロース化合物の量が、前記配合物が酸素の全体的又は部分的な存在下でエラストマー組成物を硬化させることが可能であるように選択される、有機ペルオキシド配合物。
【請求項１３】
有機ペルオキシド配合物であって、
少なくとも１種の有機ペルオキシドと、
少なくとも１種のセルロース化合物と、
少なくとも１種の硫黄含有化合物と、
少なくとも１種の架橋助剤であって、バイオベース及び非バイオベースの化合物からなる群から選択されることができる、少なくとも１種の架橋助剤と
を含み、
前記少なくとも１種のペルオキシド及び前記少なくとも１種のセルロース化合物の量が、前記配合物が酸素の全体的又は部分的な存在下でエラストマー組成物を硬化させることが可能であるように選択される、有機ペルオキシド配合物。
【請求項１４】
有機ペルオキシド配合物であって、
少なくとも１種の有機ペルオキシドと、
少なくとも１種のセルロース化合物と、
少なくとも１種の架橋助剤であって、バイオベース及び非バイオベースの化合物からなる群から選択されることができる、少なくとも１種の架橋助剤と
を含み、
前記少なくとも１種のペルオキシド及び前記少なくとも１種のセルロース化合物の量が、前記配合物が酸素の全体的又は部分的な存在下でエラストマー組成物を硬化させることが可能であるように選択される、有機ペルオキシド配合物。
【請求項１５】
エラストマー組成物であって、
少なくとも１種のエラストマーと、
少なくとも１種のペルオキシドと、
少なくとも１種のセルロース化合物と、
少なくとも１種の架橋助剤であって、バイオベース及び非バイオベースの化合物からなる群から選択されることができる、少なくとも１種の架橋助剤と、
任意選択的に、少なくとも１種の硫黄含有化合物と
を含み、
前記エラストマー組成物が酸素の全体的又は部分的な存在下で硬化可能である、エラストマー組成物。
【手続補正２】
【補正対象書類名】明細書
【補正対象項目名】０００１
【補正方法】変更
【補正の内容】
【０００１】
関連出願の相互参照
本願は、２０１５年１２月３日に出願されたＰＣＴ／ＵＳ２０１５／０６３６１７号の国内段階出願であり、米国特許法第１１９条の下で２０１４年１２月９日に出願された米国特許出願第６２／０８９３９８号に対する利益を主張するものである。
本発明は、大気酸素の存在下で有機ペルオキシドを用いてエラストマーを架橋させるための組成物及び方法、並びにそれらの方法によって作成される製品に関する。